(57)【要約】【課題】ケーブルのはみ出しを防止する覆い部を設けた場合に、覆い部と凸部との衝突を防止することができるケーブルコネクタを提供する。【解決手段】端子と、端子を支持するハウジングを備える。端子の一部は、ハウジングから露出して設置面を形成し、ハウジングは、設置面を挟んで対向する各側に、折線を中心に設置面に向かって回動可能に設けられた対の圧着片を有する。対の圧着片はそれぞれ、設置面と対向する対向面と相手圧着片と突き合わされる突合せ面とを含む。対の圧着片の一方の突合せ面に、対の圧着片を回動させたときに相手圧着片の突合せ面に設けた凸部と噛み合う凹部が設けられている。凹部の、対向面とは反対の面側に、凹部と凸部の噛み合わせ部を覆う覆い部が設けられており、覆い部に、対の圧着片を回動させて凸部と凹部を噛み合わせる際に凸部との衝突を防ぐ逃げ空間が設けられている。【選択図】図１
2019169361.tif 000002
【特許請求の範囲】
【請求項１】
端子と、前記端子を支持するハウジングと、を備え、
前記端子の一部は、前記ハウジングから露出して設置面を形成しており、
前記ハウジングは、前記設置面を挟んで対向する各側に、折線を中心に前記設置面に向かって回動可能に設けられた対の圧着片を有しており、
前記対の圧着片はそれぞれ、前記対の圧着片を回動させたときに前記設置面と対向する対向面と相手圧着片と突き合わされる突合せ面とを含んでおり、
前記対の圧着片の少なくともいずれか一方の突合せ面に、前記対の圧着片を回動させたときに相手圧着片の突合せ面に設けた凸部と噛み合う凹部が設けられており、
前記凹部の、前記対向面とは反対の面側に、前記凹部と前記凸部の噛み合わせ部を覆う覆い部が設けられており、
前記覆い部に、前記対の圧着片を回動させて前記凸部と前記凹部を噛み合わせる際に前記凸部との衝突を防ぐ逃げ空間が設けられていることを特徴とする同軸ケーブルコネクタ。
【請求項２】
前記逃げ空間は、前記折線の方向から見たときに前記覆い部における突合せ面から前記凹部における突合せ面に向かうテーパー状の面によって形成されている、請求項１に記載の同軸ケーブルコネクタ。
【請求項３】
前記逃げ空間は、前記折線の方向から見たときに、前記覆い部における突合せ面から前記凹部における突合せ面に向かう段状の面によって形成されている、請求項１に記載の同軸ケーブルコネクタ。
【請求項４】
前記対向面を前記設置面と対向させたときに、前記対向面が前記設置面から離間した位置に面を形成する、請求項１乃至３のいずれかに記載の同軸ケーブルコネクタ。
【請求項５】
前記対の圧着片のそれぞれの前記突合せ面に、前記凸部と前記凹部が少なくとも計３個、前記折線の方向に沿って交互に配列されている、請求項１乃至４のいずれかに記載の同軸ケーブルコネクタ。
【請求項６】
前記対向面に、前記設置面の側に突出した突出部が、前記折線と交差する方向に沿って設けられている、請求項１乃至５のいずれかに記載の同軸ケーブルコネクタ。
【請求項７】
前記設置面に、前記対向面の側に突出した突出部が、前記折線と交差する方向に沿って設けられている、請求項６に記載の同軸ケーブルコネクタ。
【請求項８】
前記対向面の前記突出部と、前記設置面の前記突出部が、前記折線の方向に沿って交互に設けられている、請求項７に記載の同軸ケーブルコネクタ。
【発明の詳細な説明】
【技術分野】
【０００１】
本発明は、同軸ケーブルコネクタ、特に、対の圧着片を有するハウジングを備えた同軸ケーブルコネクタに関する。
【背景技術】
【０００２】
特開２０１６−１１０７０９（特許文献１）に、従来の同軸ケーブルコネクタの一例が示されている。この同軸ケーブルコネクタは、主に、端子と、端子を支持するハウジングと、ハウジングの少なくとも一部を覆う外部導体シェルを備える。端子の一部は、相手同軸ケーブルコネクタの端子と接触させる接触部として、また、同軸ケーブルの芯線が設置される設置面として、ハウジングから露出した状態で設けられている。ハウジングは、設置面を挟んで対向する各側に、折線を中心に設置面に向かって回動可能に設けられた対の圧着片を有する。圧着片を設置面に向かって回動させることにより、設置面に設置された同軸ケーブルの芯線を、設置面に対して圧着し、結線することができる。圧着や結線は、例えば、外部導体シェルの一部をカシメることにより、当該一部との当接を通じて圧着片を回動させることによって行うことができる。
【０００３】
各圧着片は、対の圧着片を回動させたときに設置面と対向する対向面に加え、相手圧着片と突き合わされる突合せ面を含む。これらの突合せ面には各々、相手圧着片の凹凸部と補完し合う凹凸部が設けられており、これらの凹凸部同士を噛み合わせることによって、同軸ケーブルの芯線を圧着片からはみ出させることなく端子に接続し、保持、固定することができるようになっている。
【先行技術文献】
【特許文献】
【０００４】
【特許文献１】特開２０１６−１１０７０９号公報
【特許文献２】特開２０１８−６０１２号公報
【発明の概要】
【発明が解決しようとする課題】
【０００５】
特許文献１の構成によれば、同軸ケーブルの芯線を容易に且つ確実に端子に接続し、保持、固定することができる。しかしながら、圧着片に設けた凹凸部同士が噛み合わされた際に、凹部と凸部の噛み合わせ部から芯線の一部が多少はみ出してしまう可能性もある。はみだしをより確実に防止するため、特開２０１８−６０１２号公報（特許文献２）のように、凹部における、対向面とは反対の面側に、噛み合わせ部を覆う覆い部を設けたものもあるが、このような覆い部を設けた場合には、凹部と凸部が噛み合わされる際に、覆い部と凸部が衝突してしまう危険が生ずる。
【０００６】
本願発明はこのような従来技術における問題点を解決するためになされたものであり、相手圧着片との突合せ面に凹凸部を含む対の圧着片を有するハウジングを備えたケーブルコネクタに関し、ケーブル（芯線）のはみ出しを防止する覆い部を設けた構成において、覆い部と凸部の衝突を防止することができるケーブルコネクタを提供することを目的とする。
【課題を解決するための手段】
【０００７】
本発明のケーブルコネクタは、端子と、前記端子を支持するハウジングと、前記ハウジングの少なくとも一部を覆う外部導体シェルと、を備え、前記端子の一部は、前記ハウジングから露出して設置面を形成しており、前記ハウジングは、前記設置面を挟んで対向する各側に、折線を中心に前記設置面に向かって回動可能に設けられた対の圧着片を有しており、前記対の圧着片はそれぞれ、前記対の圧着片を回動させたときに前記設置面と対向する対向面と相手圧着片と突き合わされる突合せ面とを含んでおり、前記対の圧着片の少なくともいずれか一方の突合せ面に、前記対の圧着片を回動させたときに相手圧着片の突合せ面に設けた凸部と噛み合う凹部が設けられており、前記凹部の、前記対向面とは反対の面側に、前記凹部と前記凸部の噛み合わせ部を覆う覆い部が設けられており、前記覆い部に、前記対の圧着片を回動させて前記凸部と前記凹部を噛み合わせる際に前記凸部との衝突を防ぐ逃げ空間が設けられていることを特徴として有している。
この構成によれば、芯線のはみ出しを防止する覆い部を設けた場合に、覆い部と凸部との衝突を防止することができるケーブルコネクタが提供される。
【０００８】
上記態様のケーブルコネクタにおいて、前記逃げ空間は、前記折線の方向から見たときに前記覆い部における突合せ面から前記凹部における突合せ面に向かうテーパー状の面によって形成されていてもよいし、前記覆い部における突合せ面から前記凹部における突合せ面に向かう段状の面によって形成されていてもよい。
【０００９】
上記態様のケーブルコネクタにおいて、前記対向面を前記設置面と対向させたときに、前記対向面が前記設置面から離間した位置に面を形成してもよい。
この構成によれば、芯線が太い場合であっても、そのような芯線を確実に固定することができる。
【００１０】
上記態様のケーブルコネクタにおいて、前記対の圧着片のそれぞれの前記突合せ面に、前記凸部と前記凹部が少なくとも計３個、前記折線の方向に沿って交互に配列されていてもよい。
【００１１】
上記態様のケーブルコネクタにおいて、前記対向面に、前記設置面の側に突出した突出部が、前記折線と交差する方向に沿って設けられていてもよい。
また、上記態様のケーブルコネクタにおいて、前記設置面に、前記対向面の側に突出した突出部が、前記折線と交差する方向に沿って設けられていてもよい。
更に、前記対向面の前記突出部と、前記設置面の前記突出部が、前記折線の方向に沿って交互に設けられていてもよい。
これらの構成により、芯線をより確実に固定することができる。
【００１２】
上記態様のケーブルコネクタは、前記ハウジングの少なくとも一部を覆う外部導体シェルを更に備える同軸ケーブルコネクタであってもよい。
【発明の効果】
【００１３】
本発明によれば、相手圧着片との突合せ面に凹凸部を含む対の圧着片を有するハウジングを備えたケーブルコネクタに関し、ケーブル（芯線）のはみ出しを防止する覆い部を設けた構成において、覆い部と凸部との衝突を防止することができるケーブルコネクタが提供される。
【図面の簡単な説明】
【００１４】
【図１】本発明による同軸ケーブルコネクタの斜視図である。
【図２】図１の同軸ケーブルコネクタを異なる角度から見た斜視図である。
【図３】図１の同軸ケーブルコネクタを異なる角度から見た斜視図である。
【図４】図１乃至図３に示した同軸ケーブルコネクタの中心線断面図である。
【図５】図２におけるＡ−Ａ線断面図である。
【図６】図２におけるＢ−Ｂ線断面図である。
【図７】突出部の噛み合わせ状態を示す断面図である。
【図８】対の圧着片を回動させたときの状態を段階的に示した図である。
【図９】対の圧着片を回動させたときの状態を段階的に示した図である。
【図１０】本発明の変形例を示す図である。
【発明を実施するための形態】
【００１５】
添付図面を参照しつつ、本発明の好適な一つの実施形態について説明する。ここでは特に、いわゆるライトアングル型の同軸コネクタを説明するが、本発明は、これに限定されるものではなく、例えば、垂直型のケーブルコネクタにも適用することもできる。
【００１６】
図１は、本発明による同軸ケーブルコネクタ１の斜視図、図２、図３は、図１の同軸ケーブルコネクタを異なる角度から見た斜視図、図４は、図１乃至図３に示した同軸ケーブルコネクタの中心線断面図、図５は、図２におけるＡ−Ａ線断面図、図６は、図２におけるＢ−Ｂ線断面図である。
【００１７】
同軸ケーブルコネクタ１は、中心軸線を挟んで左右対称形状を成し、主に、導電性の端子２０と、端子２０を支持する絶縁性のハウジング４０と、ハウジング４０と同軸ケーブル（図示されていない）の少なくとも一部を覆う外部導体シェル７０を備える。
【００１８】
端子２０は、同軸ケーブルコネクタ１に固定される同軸ケーブルの軸線方向「α」に沿って所定の長さを有する。同軸ケーブルは、従来一般の同軸ケーブルと同じ構造、即ち、最外殻から中心に向かって、絶縁被覆、外部導体、絶縁体、芯線を有する。この構造はよく知られているため、詳細な説明は省略する。端子２０の先端側には、相手同軸コネクタの中心端子と接触させる接触部２５が設けられている。接触部２５の一部２５ａは、相手コネクタとの接触側に向って立ち上げられており、相手コネクタの中心端子を中心に挟み込むことができる対の弾性片として形成されている。端子２０の後端側には、同軸ケーブルの芯線と接触させる接続部２４が設けられている。接続部２４の表面は、同軸ケーブルの芯線と接続される設置面２１を形成し得る。接触部２５と接続部２４の間には、段部２３（図４参照）が設けられており、この段部２３によって、一体成形されたハウジング４０において、端子２０の後端側（２４）を前端側（２５）よりも同軸ケーブルに接近させ、その一方で、端子２０の前端側（２５）を後端側（２４）よりも外部導体シェル７０の配置面８５に近接させるようになっている。
【００１９】
外部導体シェル７０は、一枚の板状金属を打ち抜き、折り曲げることによって形成される。外部導体シェル７０は、主に、ハウジング４０や同軸ケーブルが配置される配置面８５と、この配置面８５の先端側に設けられた円筒状の嵌合部７２と、更に、複数の片、即ち、囲み片８０Ａ、８０Ｂ、外部導体圧着片８３Ａ、８３Ｂ、外被圧着片８４Ａ、８４Ｂを含む。ここで「Ａ」、「Ｂ」の各文字は、左右の各側を示す（以下、同様）。嵌合部７２は、相手コネクタとの嵌合時に、相手コネクタの円筒シェル（図示されていない）と接続される部分である。相手コネクタの円筒シェルは、外部導体シェル７０の嵌合部７２とハウジング４０の嵌合部４２との間に形成された隙間７３に挿入される。配置面８５の先端側は、全体として、スコップ形状を成し、さじ部を構成する一部である立ち上げ部７４によって嵌合部７２を包囲して、嵌合部７２の強度を強化した構造となっている。
【００２０】
囲み片８０Ａ、８０Ｂ、外部導体圧着片８３Ａ、８３Ｂ、外被圧着片８４Ａ、８４Ｂは、同軸ケーブルの軸線方向「α」に沿って配列されている。また、これらの片はそれぞれ対で形成されており、各対は、配置面８５を挟んで対向する各側にそれぞれが配置されている。前側の囲み片８０Ａ、８０Ｂは、主に、対を成す圧着片５０Ａ、５０Ｂをかしめて、同軸ケーブルの芯線を固定するためのもの、外部導体圧着片８３Ａ、８３Ｂは、主に、同軸ケーブルの外部導体をかしめるためのもの、外被圧着片８４Ａ、８４Ｂは、主に、同軸ケーブルの絶縁被覆をかしめるためのものである。後述するように、外部導体シェル７０に同軸ケーブルが配置されたとき、同軸ケーブルの芯線が端子２０の設置面２１に設置されるとともに、同軸ケーブルの外部導体は、外部導体圧着片８３Ａ、８３Ｂに対応する位置において配置面８５に設置され、また、同軸ケーブルの絶縁被覆は、外被圧着片８４Ａ、８４Ｂに対応する位置において配置面８５に設置され、カシメ部を利用してそれぞれの位置においてかしめられる。
【００２１】
ハウジング４０は、主に、本体部４４と、本体部４４の先端側に設けた円筒状の嵌合部４２、更に、本体部４４の後端側に設けた設置部４３、更に、対を成す圧着片５０Ａ、５０Ｂを備える。これらの各部は、樹脂モールドによって端子２０と一体成型されている。但し、一体成型後も、端子２０の一部、例えば、接触部２５の少なくとも一部（弾性片２５ａ等）と、接続部２４の少なくとも一部（設置面２１）は、外部に露出したままである。
【００２２】
本体部４４は、全体として略立方形状を有する。本体部４４の一部は、同軸ケーブルの軸線方向「α」において嵌合部４２の側に突出して突出部４７を形成している。突出部４７は、外部導体シェル７０の嵌合部７２の不連続部分７５を補足する部分となる。
【００２３】
嵌合部４２は、相手コネクタとの接触側に向って突出する部分であって、その中心に、端子２０の接触部２５が配置されている。嵌合部４２は、相手同軸コネクタとの嵌合時に相手同軸コネクタの円筒シェルの内部に挿入され、これに伴い、嵌合部４２の中心に配置された接触部２５に円筒シェルの中心に配置された中心端子が挿入、接触される。
【００２４】
設置部４３において、端子２０の接続部２４は、設置面２１を露出させた状態でハウジング４０に埋め込まれる。設置面２１には、被圧着物である同軸ケーブルの芯線が設置される。
【００２５】
圧着片５０Ａ、５０Ｂは、設置面２１を挟んで対向する各側に設けられており、それぞれ、同軸ケーブルの軸線方向「α」に沿う折線５５Ａ、５５Ｂを中心として、設置面２１に向かって、即ち、図示「θA」、「θB」方向に、回動可能とされている。尚、図１乃至図６は全て、対の圧着片５０Ａ、５０Ｂを回動させる前の状態を示している。これらの圧着片５０Ａ、５０Ｂはそれぞれ、対の圧着片５０Ａ、５０Ｂを回動させたときに設置面２１と対向する対向面５１Ａ、５１Ｂ（対の圧着片５０Ａ、５０Ｂを回動させる前の図１乃至図６において、「α」方向及び「β」方向によって形成される面）と、同様に対の圧着片５０Ａ、５０Ｂを回動させたときに相手圧着片と突き合わされる突合せ面５２Ａ、５２Ｂ（対の圧着片５０Ａ、５０Ｂを回動させる前の図１乃至図６において、「α」方向及び「γ」方向によって形成される面）とを含む。
【００２６】
対向面５１Ａ、５１Ｂには、それぞれ、設置面２１の側に突出した突出部５１ａＡ、５１ａＢが、折線５５Ａ、５５Ｂと交差する方向「β（又はγ）」に沿って設けられている。突出部５１ａＡ、５１ａＢを設けることにより、これら突出部５１ａＡ、５１ａＢを設けた部分においては、設置面２１に対する対向面５１Ａ、５１Ｂの押圧力を強化することができる。
【００２７】
同様に、設置面２１に、対向面５１Ａ、５１Ｂの側に突出した突出部２２ａ、２２ｂが、折線５５Ａ、５５Ｂと交差する方向「β（又はγ）」に沿って設けられている。突出部２２ａ、２２ｂを設けることにより、これら突出部２２ａ、２２ｂを設けた部分においては、対向面５１Ａ、５１Ｂに対する設置面２１の押圧力を強化することができる。
【００２８】
対向面５１Ａ、５１Ｂの突出部５１ａＡ、５１ａＢと、設置面２１の突出部２２ａ、２２ｂは、折線５５Ａ、５５Ｂの方向「α」に沿ってずれるように交互に設けられてもよい。図７に、交互に設けられた突出部が噛み合わされたときの断面を示す。この図は、図４の部分拡大図であって、特に、対の圧着片５０Ａ、５０Ｂを回動させて、それらの対向面５１Ａ、５１Ｂを設置面２１と対向させることにより、同軸ケーブルの芯線３を、対向面５１Ａ（５１Ｂ）と設置面２１との間で圧着した状態を示す。このとき、芯線３は、対向面５１Ａ（５１Ｂ）の突出部５１ａＡ（５１ａＢ）と、設置面２１の突出部２２ａ、２２ｂとの間で、波打った状態で挟み込まれるため、特に、同軸ケーブルの軸線方向「α」において、芯線３は強固に固定される。
【００２９】
対の圧着片５０Ａ、５０Ｂの少なくともいずれか一方の突合せ面５２Ａ、５２Ｂに、対の圧着片５０Ａ、５０Ｂを回動させたときに相手圧着片５０Ｂ、５０Ａの突合せ面５２Ｂ、５２Ａに設けた凸部５３Ｂ、５３Ａと噛み合う凹部５４Ａ、５４Ｂが設けられている。
【００３０】
図示の例では、突合せ面５２Ａに、凸部５３Ａ、凹部５４Ａ、及び、凸部５３Ａが、これらの順に計３個、これに対応して、突合せ面５２Ｂに、凹部５４Ｂ、凸部５３Ｂ、及び、凹部５４Ｂが、これらの順に計３個、それぞれ、折線５５Ａ、５５Ｂの方向「α」に沿って交互に設けられている。これら凹部や凸部の数は特に限定されるものではなく、突合せ面５２Ａ、５２Ｂのそれぞれに、凹部又は凸部のいずれか一方を１つだけ、また、凹部及び凸部を複数設けてもよい。
【００３１】
凹部５４Ａ、５４Ｂの、対向面５１Ａ、５１Ｂとは反対の面側に、それぞれ、覆い部６０Ａ、６０Ｂが設けられている。これらの覆い部６０Ａ、６０Ｂは、対の圧着片５０Ａ、５０Ｂを回動させて、凹部５４Ａ、５４Ｂと凸部５３Ｂ、５３Ａを噛み合わせたときに、凹部と凸部の噛み合わせ部を覆う。これらの覆い部６０Ａ、６０Ｂを設けたことにより、噛み合わせ部に沿って生じ得る隙間を閉じて、隙間からの粉塵等の流入を防止することができ、これにより、コネクタの接触信頼性を高めることができる。覆い部６０Ａ、６０Ｂはこのように優れた利点を発揮し得るものの、圧着片５０Ａ、５０Ｂを回動させて凸部と凹部を噛み合わせる際に、凸部５３Ｂ、５３Ａがそれぞれ、覆い部６０Ａ、６０Ｂと衝突してしまう危険が生ずる。このような衝突を防止するため、覆い部６０Ａ、６０Ｂのそれぞれに、逃げ空間６１Ａ、６１Ｂ（図５、図６参照）が設けられている。
【００３２】
図８、図９を参照して、逃げ空間６１Ａ、６１Ｂの働きを説明する。図８は、図５と同様に、図２におけるＡ−Ａ線断面図に相当する図、図９は、図６と同様に、図２におけるＢ−Ｂ線断面図に相当する図であって、それぞれ、対の圧着片５０Ａ、５０Ｂを回動させたときの状態を段階的に示したものである。
【００３３】
圧着片５０Ａ、５０Ｂを回動させるに際し、先ず、同軸ケーブルを設置する。同軸ケーブルの芯線３は、端子２０の設置面２１に設置される。設置面２１は、同軸ケーブルの軸線方向「α」において、外部導体シェル７０の囲み片８０Ａ、８０Ｂに対応する位置に位置付けられている。
【００３４】
次いで、外部導体シェル７０の囲み片８０Ａ、８０Ｂを、各位置において、「θA」、「θB」方向に回動させる。これにより、圧着片５０Ａを折線５５Ａを中心に、また、圧着片５０Ｂを折線５５Ｂを中心に、それぞれ、囲み片８０Ａ、８０Ｂとの接触を通じて設置面２１に向かって回動させる。
【００３５】
このとき、図８の（ａ）、（ｂ）から明らかなように、圧着片５０Ａの対向面５１Ａと、圧着片５０Ｂの対向面５１Ｂは、それぞれ、設置面２１と対向する側に移動して、面を形成する。また、圧着片５０Ａの突合せ面５２Ａと、圧着片５０Ｂの突合せ面５２Ｂは、互いに突き合わされる方向に、言い換えれば、突合せ面５２Ａの凹部５４Ａと、突合せ面５２Ｂの凸部５３Ｂが互いに接近する方向に移動する。その後、図８の（ｃ）に示すように、圧着片５０Ａの対向面５１Ａ、特に、対向面５１Ａに設けた突出部５１ａＡや、圧着片５０Ｂの対向面５１Ｂ、特に、対向面５１Ｂに設けた突出部５１ａＢが、同軸ケーブルの芯線３に到達し、また、突合せ面５２Ｂの凸部５３Ｂの一部が、突合せ面５２Ａの凹部５４Ａに入り込む。更に回動させることにより、図８の（ｄ）に示すように、圧着片５０Ａの突出部５１ａＡや、圧着片５０Ｂの突出部５１ａＢによって、芯線３は押しつぶされた状態で固定され、また、突合せ面５２Ａの凹部５４Ａと突合せ面５２Ｂの凸部５３Ｂが噛み合わされて、噛み合わせ部５７を形成する。この噛み合わせ部５７は、凹部５４Ａと凸部５３Ｂが噛み合わされると同時に、凹部５４Ａの、対向面５１Ａとは反対の面側に設けた覆い部６０Ａによって覆われる。従って、粉塵等の流入を効果的に防止できる。覆い部６０Ａはこのように優れた機能を有するが、例えば、図８の（ｃ）に示すような状態において、覆い部６０Ａが凸部５３Ｂと衝突してしまう危険がある。覆い部６０Ａに逃げ空間６１Ａを設けることにより、このような危険を軽減することができる。更に、凸部５３Ｂの先端部の角を面取りしてテーパー５３ａＢを設けることにより、覆い部６０Ａとの衝突を効果的に防ぐことができる。
【００３６】
図８は、圧着片５０Ａに凹部が、また、圧着片５０Ｂに凸部が、それぞれ形成されている場合の逃げ空間６１Ａの働きを説明したものであるが、これに対して、図９は、圧着片５０Ａに凸部が、また、圧着片５０Ｂに凹部が、それぞれ形成されている場合の逃げ空間６１Ｂの働きを説明したものである。以下の説明からも明らかなように、逃げ空間６１Ｂの働きは、逃げ空間６１Ａの働きと同様のものである。
【００３７】
図９の（ａ）、（ｂ）から明らかなように、圧着片５０Ａは、囲み片８０Ａとの接触を通じて折線５５Ａを中心に、また、圧着片５０Ｂは、囲み片８０Ｂとの接触を通じて折線５５Ｂを中心に、それぞれ、互いに接近する方向「θA」、「θB」に回動する。このとき、圧着片５０Ａの対向面５１Ａと、圧着片５０Ｂの対向面５１Ｂは、それぞれ、設置面２１と対向する側に移動して、面を形成する。また、圧着片５０Ａの突合せ面５２Ａと、圧着片５０Ｂの突合せ面５２Ｂは、互いに突き合わされる方向に、言い換えれば、突合せ面５２Ｂの凹部５４Ｂと、突合せ面５２Ａの凸部５３Ａが、互いに接近する方向に移動する。その後、図９の（ｃ）に示すように、圧着片５０Ａの対向面５１Ａ、特に、対向面５１Ａに設けた突出部５１ａＡや、圧着片５０Ｂの対向面５１Ｂ、特に、対向面５１Ｂに設けた突出部５１ａＢが、同軸ケーブルの芯線３に到達し、また、突合せ面５２Ａの凸部５３Ａの一部が突合せ面５２Ｂの凹部５４Ｂに入り込む。更に回動させることにより、図９の（ｄ）に示すように、圧着片５０Ａの突出部５１ａＡや、圧着片５０Ｂの突出部５１ａＢによって、芯線３は押しつぶされた状態で固定され、また、突合せ面５２Ｂの凹部５４Ｂと突合せ面５２Ａの凸部５３Ａが噛み合わされて、噛み合わせ部５７を形成する。この噛み合わせ部５７は、凹部５４Ｂと凸部５３Ａが噛み合わされると同時に、凹部５４Ｂの、対向面５１Ｂとは反対の面側に設けた覆い部６０Ｂによって覆われる。覆い部６０Ｂはこのように優れた機能を有するが、例えば、図９の（ｃ）に示すような状態において、覆い部６０Ｂが凸部５３Ａと衝突してしまう危険があることから、逃げ空間６１Ｂを設けることにより、このような危険を軽減することができる。また、覆い部６０Ｂとの衝突をより効果的に防ぐため、凸部５３Ａの先端部の角にテーパー５３ａＡが設けられている。
【００３８】
尚、図８、図９に示した逃げ空間６１Ａ、６１Ｂは、折線５５Ａ、５５Ｂの方向「α」から見たときに、覆い部６０Ａ、６０Ｂにおける突合せ面から凹部５４Ａ、５４Ｂにおける突合せ面に向かうテーパー状の面６１ａＡ（６１ａＢ）によって形成されているが、図１０の変形例に示すように、逃げ空間（６１Ａ）を段状の面６１ｂＡによって形成してもよい。この場合、段状の面は一段に限らず、複数段としてもよい。
【００３９】
更に、図１０に示すように、対向面を設置面と対向させたときに、対向面が設置面から離間する位置に面５８ａ〜ｄを形成してもよい。このような構成とすることにより、同軸ケーブルの芯線の径が太い場合でも、芯線を確実に、且つ、コネクタを破損させることなく、確実に固定することができる。
【００４０】
本発明は、上述した実施の形態に限定されるわけではなく、種々の変更が可能であることは勿論である。従って、本発明の請求項の範囲には、当業者が通常行う種々の変形例が含まれる。
【産業上の利用可能性】
【００４１】
同軸コネクタのみならず、相手圧着片との突合せ面に凹凸部を含む対の圧着片を有するハウジングを備えたケーブルコネクタに幅広く適用することができる。
【符号の説明】
【００４２】
１  同軸ケーブルコネクタ
２０  端子
２１  設置面
２４  接続部
２５  接触部
４０  ハウジング
５０Ａ、５０Ｂ  圧着片
５１Ａ、５１Ｂ  対向面
５２Ａ、５２Ｂ  突合せ面
５５Ａ、５５Ｂ  折線
５７  噛み合わせ部
６０Ａ、６０Ｂ  覆い部
６１Ａ、６１Ｂ  逃げ空間
７０  外部導体シェル
８０Ａ、８０Ｂ  囲み片
【図１】
2019169361.tif 000003
【図２】
2019169361.tif 000004
【図３】
2019169361.tif 000005
【図４】
2019169361.tif 000006
【図５】
2019169361.tif 000007
【図６】
2019169361.tif 000008
【図７】
2019169361.tif 000009
【図８】
2019169361.tif 000010
【図９】
2019169361.tif 000011
【図１０】
2019169361.tif 000012